(57)【要約】【課題】放送素材データが再生不可能となった場合に、外部の送出制御機器側で異常と判断することなく、また黒画面情報の送出を防ぐようにする。【解決手段】送出すべく放送素材データの代替素材データを記憶した代替素材データ記憶部１４１をデコーダ１４に設けておくことで、記憶装置１３に記憶された放送素材データ中に指定された放送素材データが存在しなかったり、または放送素材データが読み出せない状況にあった場合に、蓄積型送出装置１１にて代替素材データ記憶部１４１に記憶された代替素材データをデコーダ１４に入力して復号処理を行わせるようにする。【選択図】    図１
2005012562.tif 000002
【特許請求の範囲】
【請求項１】
放送素材信号を圧縮符号化して放送素材データに生成する放送素材データ生成手段と、
この放送素材データ生成手段により得られる放送素材データを第１の記録媒体に記録し、再生指示入力に応じて、該第１の記憶媒体から該当する放送素材データを読み出すデータ処理手段と、
このデータ処理手段により読み出された放送素材データを元の放送素材信号に復号する復号手段と、
前記放送素材データの代替素材データを記憶する第２の記録媒体と、
前記放送素材データの再生開始時に、前記データ処理手段に対し再生指示を送出し、前記データ処理手段から放送素材データの読み出し不可の旨が通知された場合に、前記第２の記録媒体から読み出される代替素材データを入力するように前記復号手段を切替制御する制御手段とを具備したことを特徴とする放送素材信号処理装置。
【請求項２】
前記制御手段は、前記放送素材データの送出準備期間において、外部送出制御装置からの送出準備指示を入力した際に、前記データ処理手段に対し再生指示を送出し、前記データ処理手段から放送素材データの読み出し不可の旨が通知された場合に、前記復号手段を前記第２の記録媒体から読み出される代替素材データを入力するための送出準備状態に設定するとともに、前記外部送出制御装置に対し準備完了の旨を通知することを特徴とする請求項１記載の放送素材信号処理装置。
【請求項３】
前記制御手段は、前記放送素材データの送出準備期間において、前記復号手段を前記代替素材データを入力するための送出準備状態に設定している状態で、外部記録制御装置からの該放送素材データの記録開始指示を入力した際に、前記放送素材データ生成手段を制御して前記記録媒体に放送素材データを記録させ、しかる後に前記データ処理手段から再生可能の旨の通知があった場合に、前記復号手段における代替素材データの送出準備処理を停止することを特徴とする請求項１記載の放送素材信号処理装置。
【請求項４】
前記制御手段は、前記代替素材データを前記復号手段に入力している状態で、前記データ処理手段から前記放送素材データの読み出し可能な旨が通知された場合に、前記復号手段における代替素材データの復号処理を停止し、前記第１の記録媒体中の放送素材データを読み出して前記復号手段に入力することを特徴とする請求項１記載の放送素材信号処理装置。
【請求項５】
前記請求項１記載の放送素材信号処理装置と、
前記放送素材信号処理装置に任意の放送素材信号を送出させるシステム送出制御装置とを具備し、
前記システム送出制御装置にて前記放送素材信号処理装置に対し任意の放送素材信号を送出させるための送出開始指示を送出し、
前記放送素材信号処理装置にて、前記システム送出制御装置からの送出開始指示を受信し、前記データ処理手段から放送素材データの読み出し不可の旨が通知された場合に、前記第２の記録媒体から読み出される代替素材データを入力するように前記復号手段を切替制御するとともに、前記システム送出制御装置に対し正常な送出開始を行った旨を通知することを特徴とする放送素材信号送出システム。
【請求項６】
前記請求項１記載の放送素材信号処理装置と、前記放送素材信号処理装置に任意の放送素材信号を送出させるシステム送出制御装置とを具備した放送素材信号送出システムで使用される放送素材信号送出制御方法であって、
前記システム送出制御装置において、前記放送素材信号処理装置に対し任意の放送素材信号を送出させるための送出開始指示を送出する第１の過程と、
前記放送素材信号処理装置において、前記システム送出制御装置からの送出開始指示を受信し、前記データ処理手段から放送素材データの読み出し不可の旨が通知された場合に、前記第２の記録媒体から読み出される代替素材データを入力するように前記復号手段を切替制御するとともに、前記システム送出制御装置に対し正常な送出開始を行った旨を通知する第２の過程とを具備したことを特徴とする放送素材信号送出システムの放送素材信号送出制御方法。
【発明の詳細な説明】
【０００１】
【発明の属する技術分野】
この発明は、例えば放送局内において、ハードディスク装置等の記憶装置に記憶され、それぞれ圧縮符号化された複数の放送素材データの中から任意の放送素材データを再生する放送素材信号処理装置及び放送素材信号送出システム及びこの放送素材信号送出システムの放送素材信号送出制御方法に関する。
【０００２】
【従来の技術】
周知のように、放送局内にあっては、例えばテレビジョン放送やラジオ放送の番組、ＣＭ（コマーシャル）、文字やデータによる番組等の放送素材データを記憶し、任意のタイミングで放送素材データを再生する番組／ＣＭ／映像・音声ファイル蓄積送出装置（以下、素材蓄積送出装置と称する）が使用されている（例えば特許文献１）。
【０００３】
【特許文献１】
特願２０００−０７５８４４号。
【０００４】
【発明が解決しようとする課題】
ところで、上記素材蓄積送出装置では、放送素材データの送出を行う準備処理段階で該当放送素材データが再生可能でない場合に、送出準備異常として扱っていた。素材送出準備は、素材送出時間よりも数時間前に行なわれる場合があるが、時差再生などにおいては素材の収録や転送が素材送出時間の直前に行われる場合があり、この場合、数時間前に行われる送出準備は異常終了となってしまう。
【０００５】
また、同様の状況において、収録や転送が開始され放送素材が再生可能となる状態は素材蓄積送出装置内の状態のため、外部送出制御機器からはリアルタイムに状態を知ることができず、送出準備制御指示を適切な時間に素材蓄積送出装置に発行することができないという問題があった。
さらに、送出時間までに該当素材が送出可能とならない場合に、黒画面情報が出力されることとなり、放送事故となるという問題があった。
【０００６】
そこで、この発明の目的は、放送素材データが再生不可能となった場合に、外部の送出制御機器側で異常と判断することなく、また黒画面情報の送出を防ぐようにした放送素材信号処理装置、放送素材信号送出システム及びこの放送素材信号送出システムの放送素材信号送出制御方法を提供することにある。
【０００７】
【課題を解決するための手段】
この発明は、上記目的を達成するために、以下のように構成される。
（１）放送素材信号を圧縮符号化して放送素材データに生成する放送素材データ生成手段と、この放送素材データ生成手段により得られる放送素材データを第１の記録媒体に記録し、再生指示入力に応じて、該第１の記憶媒体から該当する放送素材データを読み出すデータ処理手段と、このデータ処理手段により読み出された放送素材データを元の放送素材信号に復号する復号手段と、放送素材データの代替素材データを記憶する第２の記録媒体と、放送素材データの再生開始時に、データ処理手段に対し再生指示を送出し、データ処理手段から放送素材データの読み出し不可の旨が通知された場合に、第２の記録媒体から読み出される代替素材データを入力するように復号手段を切替制御する制御手段とを備えるようにしたものである。
【０００８】
（１）の構成によれば、送出すべく放送素材データの代替素材データを記憶した第２の記録媒体を用意しておくことで、第１の記録媒体に記憶された放送素材データ中に指定された放送素材データが存在しなかったり、または放送素材データが読み出せない状況にあった場合に、代わりに第２の記録媒体に記憶された代替素材データを復号器に入力するようにしている。従って、外部の送出制御機器側で異常終了が行なわれることなく、また放送素材データが送出されない代わりに代替素材データが送出されることにより、黒画面情報の送出を回避することができる。
【０００９】
（２）制御手段は、放送素材データの送出準備期間において、外部送出制御装置からの送出準備指示を入力した際に、データ処理手段に対し再生指示を送出し、データ処理手段から放送素材データの読み出し不可の旨が通知された場合に、復号手段を第２の記録媒体から読み出される代替素材データを入力するための送出準備状態に設定するとともに、外部送出制御装置に対し準備完了の旨を通知することを特徴とする。
【００１０】
（２）の構成によれば、放送素材データの送出準備期間において、放送素材データの再生が不可能な場合に、外部送出制御装置に対し準備完了の旨のみを通知し、代替素材データを復号器に入力して送出準備を行うことにより、外部送出制御装置から送出準備制御指示の再発行などの処理が不要となり、これにより放送素材信号の送出準備を中断せずに済む。
【００１１】
（３）制御手段は、放送素材データの送出準備期間において、復号手段を代替素材データを入力するための送出準備状態に設定している状態で、外部記録制御装置からの該放送素材データの記録開始指示を入力した際に、放送素材データ生成手段を制御して記録媒体に放送素材データを記録させ、しかる後にデータ処理手段から再生可能の旨の通知があった場合に、復号手段における代替素材データの復号準備処理を停止することを特徴とする。
【００１２】
（３）の構成によれば、放送素材データの送出準備期間において、復号器を代替素材データを入力するための送出準備状態に設定している状態で、外部記録制御装置からの該放送素材データの記録開始指示を入力した際に、放送素材データを第１の記録媒体に記録し、しかる後に放送素材データが再生可能な旨の通知を受けた場合に、復号器における代替素材データの復号準備処理を解除して放送素材データの送出準備に切り替えることができる。したがって、外部記録制御装置からの指示を再び受ける必要がなく、これにより代替素材データの送出準備状態から第１の記録媒体に記録された放送素材データの送出準備状態に自動的に切り替えることができる。
【００１３】
（４）制御手段は、代替素材データを復号手段に入力している状態で、データ処理手段から放送素材データの読み出し可能な旨が通知された場合に、復号手段における代替素材データの復号処理を停止し、第１の記録媒体中の放送素材データを読み出して復号手段に入力することを特徴とする。
【００１４】
（４）の構成によれば、代替素材信号の送出時に、放送素材データの送出異常が復旧した場合には、放送素材データの送出に自動的に切り替えられる。このため、例えば放送素材データの送出異常が一時的なものでその後に正常に戻った場合に、外部送出制御装置による送出指示を待たず迅速に放送素材データの送出状態に切り替えることができる。
【００１５】
【発明の実施の形態】
以下、この発明の実施形態について図面を参照して詳細に説明する。
図１は、この発明の一実施形態に係る放送素材信号送出システムの構成を示すブロック図である。
【００１６】
図１において、符号１は放送素材処理装置で、内部に設けられる蓄積型送出装置１１による制御の下、互いに映像・音声から成り、テレビジョン放送番組やＣＭ（コマーシャル）のほか、天気予報、交通情報、ニュース等のデータ放送番組を構成する複数の放送素材データを蓄積し、送出するものである。
【００１７】
上記複数の放送素材データは、蓄積型送出装置１１による制御の下、エンコーダ１２により圧縮符号化してＴＳ（Ｔｒａｎｓｐｏｒｔ  Ｓｔｒｅａｍ）パケット（以下、放送素材データと称する）に生成されて、記憶装置１３に順次記録される。この記憶装置１３に記録された放送素材データは、蓄積型送出装置１１による制御の下、デコーダ１４に供給され、ここで元の映像信号及び音声信号といった放送素材信号に復号される。
【００１８】
蓄積型送出装置１１は、外部送出制御機器２からの送出準備制御指示に従って記憶装置１３及びデコーダ１４を送出準備状態に設定する。そして、外部送出制御機器２からの送出制御指示に従って記憶装置１３及びデコーダ１４を送出状態に設定する。
また、蓄積型送出装置１１は、外部収録制御機器３からの収録開始指示に従ってエンコーダ１２及び記憶装置１３に対し任意の放送素材データを生成し、記憶するように制御を行う。
ところで、この実施形態では、デコーダ１４に、送出すべく放送素材データの代替素材データを記憶する代替素材データ記憶部１４１が設けられている。この代替素材データは、動画または静止画といった有効な画像データからなる。
【００１９】
次に、上記構成による処理動作について説明する。
まず、図２は放送素材データの収録が送出までに行なわれた場合の動作を示すシーケンス図である。
まず、記憶装置１３には、放送すべく複数の放送素材データが記憶されているものとする。そして、蓄積型送出装置１１は、外部送出制御機器２から送出準備制御指示を受けると、この送出準備制御指示によって指定される放送素材データを記憶装置１３に記憶されている複数の放送素材データの中から検索する。このとき、蓄積型送出装置１１は、指定した放送素材データを含む検索信号を記憶装置１３に送出し、記憶装置１３でその指定された放送素材データが記憶されていないとき、再生不可の旨を蓄積型送出装置１１に返送する。
【００２０】
ここで、再生不可の旨が返送された場合、蓄積型送出装置１１は、デコーダ１４を代替素材データ記憶部１４１から読み出される代替素材データを入力するための送出準備状態に設定する。しかる後に、外部送出制御機器２に対し準備完了の旨を通知する。
【００２１】
この準備期間中に、外部収録制御機器３からの素材収録開始指示を受けると、蓄積型送出装置１１は、素材収録開始指示により指定される放送素材データを記憶装置１３に書き込むようにエンコーダ１２を制御する。そして、記憶装置１３から再生可能の旨が通知されると、蓄積型送出装置１１はデコーダ１４に設定した代替素材データの送出準備状態を解除し、該デコーダ１４に対し放送素材データの送出準備状態に設定する。
また、蓄積型送出装置１１は、エンコーダ１２を制御した後、外部収録制御機器３に対し収録開始の旨を返送する。
【００２２】
以後、外部送出制御機器２からの送出制御指示を受けると、蓄積型送出装置１１は記憶装置１３から指定の放送素材データを読み出してデコーダ１４に入力して該デコーダ１４を送出状態に設定するとともに、外部送出制御機器２に対し再生開始の旨を通知する。
かくして、デコーダ１４からは送出準備段階における異常発生に影響を受けない指定の放送素材信号が送出されることになる。
【００２３】
まず、記憶装置１３には、放送すべく複数の放送素材データが記憶されているものとする。そして、蓄積型送出装置１１は、外部送出制御機器２から送出準備制御指示を受けると、この送出準備制御指示によって指定される放送素材データを記憶装置１３に記憶されている複数の放送素材データの中から検索する。このとき、蓄積型送出装置１１は、指定した放送素材データを含む検索信号を記憶装置１３に送出し、記憶装置１３でその指定された放送素材データが記憶されていないとき、再生不可の旨を蓄積型送出装置１１に返送する。
【００２４】
ここで、再生不可の旨が返送された場合、蓄積型送出装置１１は、デコーダ１４を代替素材データ記憶部１４１から読み出される代替素材データを入力するための送出準備状態に設定する。しかる後に、外部送出制御機器２に対し準備完了の旨を通知する。
【００２５】
この準備期間が終了し、外部送出制御機器２からの送出制御指示を受けると、蓄積型送出装置１１はデコーダ１４を送出状態に設定するとともに、外部送出制御機器２に対し再生開始の旨を通知する。
かくして、デコーダ１４からは代替素材信号が送出されることになり、黒画面情報が出力されるなどの違和感を解消できる。
【００２６】
以上のように上記実施形態では、送出すべく放送素材データの代替素材データを記憶した代替素材データ記憶部１４１をデコーダ１４に設けておくことで、記憶装置１３に記憶された放送素材データ中に指定された放送素材データが存在しなかったり、または放送素材データが読み出せない状況にあった場合に、蓄積型送出装置１１にて代替素材データ記憶部１４１から読み出される代替素材データをデコーダ１４で復号処理させるようにしている。
従って、外部送出制御機器２で異常終了が行なわれることなく、また放送素材データが送出されない代わりに代替素材データが送出されることにより、黒画面情報の送出を回避することができる。
【００２７】
また、上記実施形態では、放送素材データの送出準備期間において、蓄積型送出装置１１による放送素材データの再生が不可能な場合に、外部送出制御機器２に対し準備完了の旨のみを通知し、代替素材データ記憶部１４１から読み出される代替素材データをデコーダ１４に入力するように送出準備を行うことにより、外部送出制御機器２から送出準備制御指示の再発行などの処理が不要となり、これにより放送素材信号の送出準備を中断せずに済む。
【００２８】
また、放送素材データの送出準備期間において、代替素材データをデコーダ１４に入力し該デコーダ１４を送出準備状態に設定している状態で、外部収録制御機器３からの該放送素材データの収録開始指示を入力した際に、蓄積型送出装置１１にて指定の放送素材データを記憶装置１３に記録するようにエンコーダ１２を制御し、しかる後に記憶装置１３から放送素材データが再生可能な旨の通知を受けた場合に、デコーダ１４における代替素材データの復号準備処理を解除して放送素材データの送出準備に切り替えるようにしている。
したがって、外部収録制御機器３からの指示を再び受ける必要がなく、これにより代替素材データの送出準備状態から記憶装置１３に記録された放送素材データの送出準備状態に自動的に切り替えることができる。
【００２９】
さらに、上記実施形態では、蓄積型送出装置１１において、代替素材信号の送出時に、放送素材データの送出異常が復旧した場合には、放送素材データの送出に自動的に切り替えるようにしている。このため、例えば放送素材データの送出異常が一時的なものでその後に正常に戻った場合に、外部送出制御機器２による送出指示を待たず迅速に放送素材データの送出状態に切り替えることができる。
【００３０】
なお、この発明は上記実施形態に限定されるものではない。例えば上記実施形態では、代替素材データ記憶部１４１をデコーダ１４内に設ける例について説明した。しかし、これに限ることなく、デコーダ１４に対し代替素材データ記憶部１４１を外付けに設けるようにしてもよい。
その他、放送素材信号送出システムの種類及びその構成、放送素材処理装置の構成、放送素材データの種類及び内容、代替素材データ送出制御手順等についても、この発明の要旨を逸脱しない範囲で種々変形して実施できる。
【００３１】
【発明の効果】
以上詳述したようにこの発明によれば、放送素材データが再生不可能となった場合に、外部の送出制御機器側で異常と判断することなく、また黒画面情報の送出を防ぐようにした放送素材信号処理装置、放送素材信号送出システム及びこの放送素材信号送出システムの放送素材信号送出制御方法を提供することができる。
【図面の簡単な説明】
【図１】この発明の一実施形態に係る放送素材信号送出システムの構成を示すブロック図。
【図２】同実施形態において、放送素材データの収録が送出までに行なわれた場合の動作を示すシーケンス図。
【図３】同実施形態において、放送素材データが送出までに送出可能とならない場合の動作を示すシーケンス図。
【符号の説明】
１…放送素材処理装置、２…外部送出制御機器、３…外部収録制御機器、１１…蓄積型送出装置、１２…エンコーダ、１３…記憶装置、１４…デコーダ、１４１…代替素材データ記憶部。
【図１】
2005012562.tif 000003
【図２】
2005012562.tif 000004
【図３】
2005012562.tif 000005